(57)【要約】【課題】部屋の壁面に凹部を作製することなく部屋および部屋の外側の美観を保ちながら配管が行える部屋構造を提供する。【解決手段】屋外に面する外壁１１の上部側にエアコンディショナー２の室内機２１が取り付けられている。上記室内機２１の左側の下面には配管２３が接続されている。上記配管２３は、上記外壁１１の屋内壁面に設けられた配管化粧カバー３によって覆われている。さらに、上記屋内壁面上であって上記室内機２１の下方には上記配管化粧カバー３を構成部材とした棚３１が設けられている。上記外壁１１には配管用穴が形成されており、上記配管２３は上記配管用穴を通して屋外に出されている。【選択図】図１
2014066326.tif 000002
【特許請求の範囲】
【請求項１】
エアコンディショナーの室内機の下方側となる屋内壁面に、配管用穴が外壁を貫通して形成されるとともに、上記室内機の下方側から上記配管用穴までを少なくとも覆う配管化粧カバーが設けられたことを特徴とする部屋構造。
【請求項２】
請求項１に記載の部屋構造において、上記配管用穴の中心位置が屋内の床部から１５００ｍｍ以下の高さであることを特徴とする部屋構造。
【請求項３】
請求項１または請求項２に記載の部屋構造において、上記配管化粧カバーを構成部材とした棚またはハンガー掛けまたはメッセージボードが設けられていることを特徴とする部屋構造。
【請求項４】
請求項１〜請求項３のいずれか１項に記載の部屋構造において、上記配管化粧カバー内に調湿性材および断熱材の少なくとも一方が設けられていることを特徴とする部屋構造。
【発明の詳細な説明】
【技術分野】
【０００１】
この発明は、エアコンディショナーを設置するのに適した部屋構造に関する。
【背景技術】
【０００２】
特許文献１には、屋内の壁面に設置される室内機と室外に設置される室外機との間を配管で接続するエアコンシステムにおけるエアコンの配管収納構造が開示されている。具体的には、屋内の壁面にはあらかじめ配管用の溝状の凹部が高さ方向に形成され、この凹部には、配管挿通部を備えて該凹部を覆う配管カバーが、屋内の壁面とほぼ同一平面をなすように備えられるとともに該凹部を開閉可能となるように設けられ、前記配管を、配管カバーの配管挿通部を通して凹部に挿通させて配管するとともに、この凹部を配管カバーで被覆して配管が隠蔽されている。
【先行技術文献】
【特許文献】
【０００３】
【特許文献１】特開２００９−２１６１３４号公報
【発明の概要】
【発明が解決しようとする課題】
【０００４】
しかしながら、上記特許文献１に開示された技術は、上記配管を壁内に入れ込むための凹部を壁内に造り込むため、壁材に対する特殊な加工や配置等が必要であり、作業が大掛かりになるという欠点がある。また、メンテナンスも行いにくい。
【０００５】
この発明は、上記の事情に鑑み、部屋の壁面に凹部を作製することなく部屋および部屋の外側の美観を保ちながら配管が行える部屋構造を提供することを課題とする。
【課題を解決するための手段】
【０００６】
この発明の部屋構造は、上記の課題を解決するために、エアコンディショナーの室内機の下方側となる屋内壁面に、配管用穴が外壁を貫通して形成されるとともに、上記室内機の下方側から上記配管用穴までを少なくとも覆う配管化粧カバーが設けられたことを特徴とする。
【０００７】
上記の構成であれば、上記配管用穴が外壁を貫通して形成されているので、配管を壁内に這わすための凹部を壁内に作製する必要はない。また、上記配管化粧カバーによって上記配管の部屋側部分が隠されることになり、部屋内の美観を保つことができる。
【０００８】
上記配管用穴の中心位置が屋内の床部から１５００ｍｍ以下の高さであってもよい。これによれば、１階部屋であれば塀などによって外から上記配管は見えにくくなり、また、２階以上の部屋であれば、バルコニーの腰壁などによって外から上記配管は見えにくくなる。すなわち、部屋の外側の美観を保つことができる。
【０００９】
上記配管化粧カバーを構成部材とした棚またはハンガー掛けまたはメッセージボードが設けられていてもよい。これによれば、上記配管化粧カバーが単体で存在する場合の違和感を無くすことができるとともに、上記室内機の下方空間の有効利用が図れる。
【００１０】
上記配管化粧カバー内に調湿性材および断熱材の少なくとも一方が設けられていてもよい。これによれば、冷暖房によって配管に結露が生じても、上記調湿性材によって水分は吸収され発散されることになり、上記配管化粧カバー内の衛生が保たれることになる。また、断熱材を設けると結露しにくくなり、空調効率も向上しうる。
【発明の効果】
【００１１】
本発明であれば、部屋の壁面に凹部を作製することなく部屋および部屋の外側の美観を保ちながら配管が行えるという効果を奏する。
【図面の簡単な説明】
【００１２】
【図１】この発明の実施形態の部屋構造を示した斜視図である。
【図２】図１の部屋構造の室内側および室外側を示した説明図である。
【図３】同図（Ａ）および（Ｂ）は、図１の部屋構造で用いた配管化粧カバーの上部分を拡大して示した斜視図である。
【図４】同図（Ａ）および（Ｂ）は、図３の配管化粧カバーを用いたハンガー掛けを示した説明図である。
【発明を実施するための形態】
【００１３】
以下、この発明の実施の形態を添付図面に基づいて説明する。
図１に示すように、この発明の実施形態の部屋構造１では、屋外に面する外壁１１の天井側にエアコンディショナー２の室内機２１が取り付けられている。上記室内機２１の右側には隣住戸との間を仕切る界壁１２による入隅が存在し、上記室内機２１の左側には窓１３が存在している。
【００１４】
上記室内機２１の左側の下面には配管（冷媒管、ドレン管）２３が接続されている。上記配管２３は、上記外壁１１の屋内壁面に設けられた配管化粧カバー３によって覆われている。さらに、上記屋内壁面上であって上記室内機２１の下方には上記配管化粧カバー３を構成部材とした棚３１が設けられている。この棚３１の一端側は上記配管化粧カバー３にビス等によって固定されており、他端側は上記界壁１２にビス等によって固定されている。
【００１５】
図２に示すように、上記外壁１１には配管用穴１１ａが形成されており、上記配管２３は上記配管用穴１１ａを通して屋外に出されている。上記配管用穴１１ａは、上記外壁１１を水平方向に真っ直ぐに貫通している。上記配管用穴１１ａの中心位置は、屋内床４から例えば１０００ｍｍ程度（屋外の床部５となるバルコニー床、専用室外機設置場、片廊下、コンクリート犬走り部等からは例えば１１００ｍｍ程度の箇所）に設定されている。なお、上記中心位置が上記屋内床４から１５００ｍｍ以下（１４００ｍｍ以下、１３００ｍｍ以下、１２００ｍｍ以下、１１００ｍｍまたは１０００ｍｍ以下としてもよい）の高さとなる位置に上記配管用穴１１ａが外壁１１を貫通して形成されていればよく、上記１０００ｍｍに限定されるものではない。屋外に出された上記配管２３は屋外の床部５に置かれている室外機２２に接続される。
【００１６】
図３（Ａ）に示すように、上記外壁１１の屋内壁面にコの字アングル３ａがビス等によって固定されている。そして、上記配管化粧カバー３の側板３ｂが上記コの字アングル３ａの折り曲げ部分にビス等によって固定さている。
【００１７】
また、図３（Ｂ）に示すように、上記側板３ｂの上端側には天板部３ｃが固定され、下端側には図示しない底板部が固定される。そして、Ｌアングル３ｄが一方の片部を下方に向け、他方の片部を上記天板部３ｃに当ててビス等により固定されている。上記配管化粧カバー３の表板３ｅの上端面には係合穴３ｆが形成されている。上記表板３ｅは、上記係合穴３ｆを上記Ｌアングル３ｄの上記一方の片部に挿入させた状態で、ボルト等によって上記側板３ｂに固定される。
【００１８】
このように、エアコンディショナー２の室内機２１の下方側となる屋内壁面に、上記配管用穴１１ａが外壁を貫通して形成されているので、配管２３を壁内に這わすための凹部を壁内に作製する必要はない。また、上記室内機２１の下方側から上記配管用穴１１ａまでを少なくとも覆う配管化粧カバー３が設けられているので、上記配管化粧カバー３によって上記配管２３の部屋側部分が隠されることになり、部屋内の美観を保つことができる。
【００１９】
また、上記配管用穴１１ａの中心位置が屋内床４から１５００ｍｍ以下の高さに形成されているので、１階部屋であれば塀などによって外から上記配管２３は見えにくくなり、また、２階以上の部屋であれば、バルコニーの腰壁などによって外から上記配管２３は見えにくくなる。すなわち、部屋の外側の美観を保つことができる。
【００２０】
特に、一般的な集合住宅は、水平方向および上下階で複数の住戸が並ぶため、各住宅にとっての外壁面積は戸建住宅よりも少なくなる。このため、排気ダクト、縦樋、エアコンディショナーの配管などが、限られた外壁面のしかも各住戸の天井付近の高さの箇所に集中してしまい、設備計画に制限が生じがちとなる。上記部屋構造１であれば、上記配管２３は各住戸の天井付近の高さよりも低い箇所から引き出せるので、上記設備計画の制限を緩和することも可能になる。また、屋外側に位置する配管２３の形状や色を各住戸で統一すると、建物外観は一層良くなる。
【００２１】
また、上記配管化粧カバー３を構成部材とした棚３１が設けられていると、上記配管化粧カバー３が単体で存在する場合の違和感を無くすことができるとともに、上記室内機２１の下方空間の有効利用が図れる。なお、上記棚３１は扉付きの棚であってもよい。また、この扉にコルクボード、ホワイトボード、マグネットボードなどのメッセージボードを配置してもよい。また、上記配管化粧カバー３に片方の縁が係止されて、室内壁面にコルクボード、ホワイトボード、マグネットボードなどのメッセージボードが配置されてもよい。なお、上記配管用穴１１ａが屋内床から例えば１０００ｍｍ程度の箇所に在ると、上記棚３１の下端は屋内床から１０００ｍｍ程度の箇所に位置することになり、上記棚３１の下方に小さめの家具を置くことができるようになる。
【００２２】
また、図４（Ａ）および（Ｂ）に示すように、上記配管化粧カバー３を構成部材としたハンガー掛け３２が設けられていてもよい。ハンガー６に掛けた衣服を上記ハンガー掛け３２に掛けてエアコンディショナー２を暖房動作させると、上記衣服の乾燥を促進させることができる。なお、上記ハンガー掛け３２のパイプを受けるブラケットを折り畳んだり、収納できる構成、さらには、上記パイプを取り外して上記配管化粧カバー３内に収納したり、上記配管化粧カバーに沿って下げておくことができる構成を採用することもできる。さらには、上記ハンガー掛け３２を覆うカバーボックスを設けることもできる。
【００２３】
上記配管２３が室内機２１の右側の下面に設けられる場合には、上記配管化粧カバー３は上記界壁１２に近い側に位置することになるが、このような場合でも、棚やハンガー掛けを設けることは可能である。
【００２４】
上記配管化粧カバー３内に調湿性材および断熱材の少なくとも一方が設けられていてもよい。これによれば、冷暖房によって配管２３に結露が生じても、上記調湿性材によって水分は吸収され発散されることになり、上記配管化粧カバー内の衛生が保たれることになる。上記調湿性材としては、珪藻土や木炭などを含有するシート材などがある。このようなシート材については上記配管化粧カバー３の側板３ｂの内側面に貼り付けて用いることができる。また、断熱材を設けると結露しにくくなり、空調効率も向上しうる。
【００２５】
上記配管化粧カバー３と室内機２１との間に位置する配管２３については、これを露呈させずに例えば蛇腹状のカバーで覆うようにしてもよい。また、屋内に位置する配管２３の下端を越えて床に至る長い配管化粧カバーを用いてもよい。
【００２６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２７】
１      部屋構造
１１    外壁
１１ａ  配管用穴
１２    界壁
２      エアコンディショナー
２１    室内機
２２    室外機
２３    配管
３      配管化粧カバー
３１    棚
３２    ハンガー掛け
４      室内床
５      屋外の床部
６      ハンガー
【図１】
2014066326.tif 000003
【図２】
2014066326.tif 000004
【図３】
2014066326.tif 000005
【図４】
2014066326.tif 000006